(57)【要約】【課題】本発明は、使用されないインスツルメント格納部へのインスツルメントの格納を不能にするとともに、あとからのインスツルメントの追加要望にも対応でき、かつ清掃も容易で衛生的な歯科用インスツルメントホルダーの提供を目的とする。【解決手段】複数のインスツルメント格納部が設けられ、インスツルメントを格納部から取り出したとき、インスツルメントに接続されたチューブもインスツルメントに追従して格納部から外部に離脱するよう構成された歯科用インスツルメントホルダーにおいて、前記格納部のいくつかが、その左右壁面に穿設された左右一対の小孔を有してなり、前記格納部のうちインスツルメントが装備されず使用されない格納部の左右壁面に穿設された前記左右一対の小孔間にインスツルメントの格納を阻止する格納阻止バーを着脱可能に渡設してなるインスツルメントホルダー。【選択図】  図１
2015217134.tif 000002
【特許請求の範囲】
【請求項１】
複数のインスツルメント格納部が設けられ、インスツルメントを格納部から取り出したとき、該インスツルメントに接続されたチューブもインスツルメントに追従して格納部から外部に離脱するよう構成された歯科用インスツルメントホルダーにおいて、
前記インスツルメント格納部のいくつかが、その左右壁面に穿設された左右一対の小孔を有してなり、該インスツルメント格納部のうちインスツルメントが装備されず使用されないインスツルメント格納部の左右壁面に穿設された前記左右一対の小孔間にインスツルメントの格納を阻止する格納阻止バーを着脱可能に渡設してなることを特徴とする歯科用インスツルメントホルダー。
【請求項２】
インスツルメント格納部の左右壁面に穿設された左右一対の小孔が、インスツルメントの格納の有無を検知する光センサーの発光部から受光部への光路として前記インスツルメント格納部の左右壁面に穿設された一対の小孔であることを特徴する請求項１に記載の歯科用インスツルメントホルダー。
【請求項３】
インスツルメント格納部の左右壁面に穿設された一対の小孔を介してインスツルメントの格納の有無を検知する光センサーが着脱可能に装着されてなり、前記格納阻止バーが渡設されたインスツルメント格納部には光センサーの配設がなされていないことを特徴とする請求項１又は２に記載の歯科用インスツルメントホルダー。
【発明の詳細な説明】
【技術分野】
【０００１】
歯科治療用装置において使用される歯科用インスツルメントを格納する歯科用インスツルメントホルダーに係り、特に複数のインスツルメント格納部を有するインスツルメントホルダーのうちのいくつかの格納部が、該格納部に対応するインスツルメントが装備されず使用されていない場合に、その使用されていない格納部へのインスツルメントの誤格納を不能にする歯科用インスツルメントルダーに関する。
【背景技術】
【０００２】
歯科治療用装置には、歯科治療に使用されるインスツルメント、例えば、エアータービンハンドピース、マイクロモーターハンドピース、スリーウェイシリンジ、スケーラー、口腔内カメラ等が装備され、これら各種歯科治療用インスツルメントは、歯科治療用装置に配設されたテーブルの前方に備えられたインスツルメントホルダーの各格納部に挿入・保持される。
一般に、前記インスツルメントホルダーは、該歯科医療用装置に装備可能なインスツルメントの数に対応して、その格納部の数も準備されている。
しかし、施術者によっては、該歯科医療用装置に装備可能なインスツルメントの全てを使用しない場合があり、任意に必要なインスツルメントを選択して装備するため、選択されなかったインスツルメントに対応した格納部は使用されないことになる。
このような場合、インスツルメントと歯科治療用装置のテーブル間に懸架されるインスツルメントチューブがインスツルメントホルダーの上面と背面との間に設けられた貫通孔を通して引き出されるタイプのインスツルメントホルダーであれば、インスツルメントチューブが格納部から離脱することがないため、使用したインスツルメントが誤って前記使用されていない格納部に挿入されることはない。
一方、前記格納部の前面にスリット等が形成され、インスツルメントを格納部から取り出すと該インスツルメントに追従してインスツルメントチュ−ブも格納部から離脱するタイプのインスツルメントホルダーの場合、使用し終えたインスツルメントが本来格納されるべき格納部以外の使用されていない格納部に格納されることがある。
前記インスツルメントホルダーの各格納部には、各種インスツルメントが、それぞれの格納部に格納されているか否かを検知するセンサーが設けられている。
そのため、前記のようなインスツルメントの誤格納がなされた場合、本来インスツルメントが格納されるべき正規の格納部に備えられたセンサーが、該インスツルメントの格納を検知できず、該インスツルメントが使用中と認識し、他のインスツルメントを取り出して使用しようとしても取り出したインスツルメントは正常動作せず、施術作業に支障を来すという問題があった。
【発明の概要】
【発明が解決しようとする課題】
【０００３】
しかし、このような誤格納を防止するための対策は、使用されていない格納部に蓋をかぶせてる等の手段が採られる程度であった。
この蓋を被せることによる誤格納防止策は、インスツルメントホルダーの清掃がしにくく、また、蓋が取り外された場合に、別の格納部に蓋を被せてしまって、インスツルメントの使用に支障を来すなど問題があった。
本発明は上記問題に鑑みてなされたもので、使用されていないインスツルメント格納部へのインスツルメントの格納を不能にするとともに、後から施術者がインスツルメントの追加を希望した場合にも容易に対応でき、さらに清掃も容易で衛生的な歯科用インスツルメントホルダーの提供を目的とする。
【課題を解決するための手段】
【０００４】
本発明者らは上記課題を下記の手段によって解決した。
（１）複数のインスツルメント格納部が設けられ、インスツルメントを格納部から取り出したとき、該インスツルメントに接続されたチューブもインスツルメントに追従して格納部から外部に離脱するよう構成された歯科用インスツルメントホルダーにおいて、
前記インスツルメント格納部のいくつかが、その左右壁面に穿設された左右一対の小孔を有してなり、該インスツルメント格納部のうちインスツルメントが装備されず使用されないインスツルメント格納部の左右壁面に穿設された前記左右一対の小孔間にインスツルメントの格納を阻止する格納阻止バーを着脱可能に渡設してなることを特徴とする歯科用インスツルメントホルダー。
（２）インスツルメント格納部の左右壁面に穿設された左右一対の小孔が、インスツルメントの格納の有無を検知する光センサーの発光部から受光部への光路として前記インスツルメント格納部の左右壁面に穿設された一対の小孔であることを特徴する（１）に記載の歯科用インスツルメントホルダー。
（３）インスツルメント格納部の左右壁面に穿設された一対の小孔を介してインスツルメントの格納の有無を検知する光センサーが着脱可能に装着されてなり、前記格納阻止バーが渡設されたインスツルメント格納部には光センサーの配設がなされていないことを特徴とする（１）又は（２）に記載の歯科用インスツルメントホルダー。
【発明の効果】
【０００５】
本発明の歯科用インスツルメントホルダーによって下記の効果が発揮される。
〈１〉複数のインスツルメント格納部が設けられ、インスツルメントを格納部から取り出したとき、該インスツルメントに接続されたチューブもインスツルメントに追従して格納部から外部に離脱するよう構成された歯科用インスツルメントホルダーにおいて、
前記インスツルメント格納部のいくつかが、その左右壁面に穿設された左右一対の小孔を有してなり、該インスツルメント格納部のうちインスツルメントが装備されず使用されないインスツルメント格納部の左右壁面に穿設された前記左右一対の小孔間にインスツルメントの格納を阻止する格納阻止バーを着脱可能に渡設しているので、
取り出して使用したインスツルメントが、使用されていないインスツルメント格納部に間違って格納されることがなく、したがって、誤格納によって生じる他のインスツルメントの作動不能を防止できる。
〈２〉インスツルメント格納部の左右壁面に穿設された左右一対の小孔が、インスツルメントの格納の有無を検知する光センサーの発光部から受光部への光路として前記インスツルメント格納部の左右壁面に穿設された一対の小孔であり、該一対の小孔に前記格納阻止バーを渡設するので、特別に別途インスツルメントホルダーを加工したり、新たな装置等を設置する必要がなく、さらに、格納阻止バーが渡設されるインスツルメント格納部への光センサーの配設が不要となり、歯科用インスツルメントホルダーの低廉化が図れる。
〈３〉インスツルメント格納部の左右壁面に穿設された一対の小孔を介してインスツルメントの格納の有無を検知する光センサーが着脱可能に装着されているので、
あとからのインスツルメント追加要望にも迅速容易に対応でき、施術者にとって使い勝手のよい歯科用インスツルメントホルダーが提供できる。
〈４〉上記〈１〉〜〈３〉の効果に加えて、すべてのインスツルメントの格納部が内部に格納阻止バーの有無の相違のみであるので、外観デザインを乱すことなく、また、インスツルメントホルダーの清掃が容易で、常に清潔で衛生的な状態に保持しておくことができる。
【図面の簡単な説明】
【０００６】
【図１】格納阻止バーを備えたインスツルメントホルダーの斜視図
【図２】格納阻止バーを備えたインスツルメントホルダーを設けた歯科治療用装置のテーブルの斜視図
【図３】格納阻止バーと光センサーとの関連を示す説明図
【図４】格納阻止バーを備えた状態を示す断面説明図
【発明を実施するための形態】
【０００７】
本発明のインスツルメントホルダーを実施するための形態を実施例の図に基づいて説明する。
図１は格納阻止バーを備えたインスツルメントホルダーの斜視図、図２は、格納阻止バーを備えたインスツルメントホルダーを設けた歯科治療用装置のテーブルの斜視図、図３は、裏面からみた格納阻止バーと光センサーとの関連を示す説明図、図４は、格納阻止バーを備えた状態を示す断面説明図
図において、１はインスツルメンホルダー、２、２’はインスツルメント格納部、３は小孔、４は格納阻止バー、５は光センサー、５ａは発光部、５ｂは受光部、６ａは光センサー発光部の配置位置、６ｂは光センサー受光部の配置位置、１０はテーブルである。
【０００８】
本発明の歯科用インスツルメントホルダーは、図１及び図２に示すように、複数（図においては６個）のインスツルメント格納部２が設けられ、該格納部２には、前面にスリットが形成され、インスツルメントを前記インスツルメント格納部２から取り出したとき、該インスツルメントに接続されたチューブもインスツルメントに追従してインスツルメント格納部２から外部に離脱するよう構成されている。
そして、前記インスツルメント格納部２のいくつかには、図３及び図４の説明図に示すように、その左右壁面に左右一対の小孔３、３が穿設されてなり、該インスツルメント格納部２のうちインスツルメントが装備されず使用されないインスツルメント格納部２’の左右壁面に穿設された前記左右一対の小孔３、３間にインスツルメントの格納を阻止する格納阻止バー４が着脱可能に渡設されている。
【０００９】
本実施例においては、前記インスツルメント格納部２の左右壁面に穿設された左右一対の小孔３、３は、インスツルメントの格納の有無を検知する光センサー５の発光部５ａから受光部５ｂへの光路として使用されるものを利用している。
したがって、格納阻止バー４は、あらかじめセンサー用に穿設された小孔３、３を利用して配置することができる構成となっていて、特別にホルダーへの加工や、他の別の装置等を備える必要がない。
なお、前記光センサー５の発光部５ａ及び受光部５ｂを着脱可能にしてある場合、前記格納阻止バー４を渡設するインスツルメント格納部２’には光センサーを配設しなくてもよい。
また、あとからインスツルメントの追加装備の要望が出た場合には、該当するインスツルメント格納部２’の小孔３、３に渡設された格納阻止バーを取り除き、光センサー５の発光部５ａと受光部５ｂとを所定の配置位置６ａ、６ｂに配設して対応できる構成となっている。
【００１０】
光センサー５と格納阻止バー４との関係を詳細に説明する。
図３のインスツルメントホルダーの一部をその裏面から見た斜視図及び図４の格納阻止バーを備えた状態を示す断面説明図に示すように、インスツルメント格納部２の左右壁面に穿設された一対の小孔３、３には格納阻止バー４が渡設されておらず、該一対の小孔３、３を介して光センサー５の発光部５ａと受光部５ｂとが対峙して設けられ、前記一対の小孔３、３が光センサー５の光路としての働きをなしている。
そして、該インスツルメント格納部２にインスツルメントが格納されているときには、前記光センサー５の発光部５ａからの光が格納されたインスツルメントによって遮断されて受光部５ｂに届かないのを検知してインスツルメントの格納を認知し、インスツルメントを取り出したときには前記光センサー５の発光部５ａからの光が受光部５ｂに届くことを検知してインスツルメントがインスツルメント格納部２から取り出されていることを認識し、他のインスツルメントが同時に取り出されても後から取り出されたインスツルメントの作動を抑止するように構成されている。
一方、インスツルメント格納部２’は、インスツルメントが誤格納されないように、左右壁面に穿設された一対の小孔３、３に格納阻止バー４が渡設されている。
したがって、光センサー５を設けた場合には、該一対の小孔３、３に格納阻止バー４が配設されていて、その光路がふさがれているので、インスツルメントが格納されている場合と同様に認識し、他のインスツルメントの動作に影響を与えない。
また、インスツルメントを格納しないインスツルメント格納部２’には、光センサー５を設置しなくてもよく、光センサー５の光路用に穿設された小孔３、３は前記格納阻止バー４の渡設に使用される。
【００１１】
さらに、後からインスツルメントを追加する場合には、追加インスツルメントに対応するインスツルメント格納部２の左右側面に穿設された一対の小孔３、３に渡設された格納阻止バー４を取り外し、前記一対の小孔３、３を介して対峙する配置位置６ａ、６ｂに光センサー５の発光部５ａと受光部５ｂとを配設することで対応できる。
【００１２】
本発明において、格納阻止バー４は、ピン状のものを使用しているが、小孔３、３に渡設でき、インスツルメントの誤格納を阻止できる強度のある棒状体であればよい。
【００１３】
なお、上記実施例においては、インスツルメント格納部２の左右壁面に光センサー５の光路として設けた小孔３、３を利用して格納阻止バー４を渡設するとしたが、格納阻止バー４の渡設方法は、それに限られるものではなく、インスツルメントの格納を阻止できる適切な位置に格納阻止バー４を渡設できればよく、前記インスツルメント格納部２の左右壁面のどの位置に小孔３、３を穿設しても本発明の目的を達成できるものである。
【符号の説明】
【００１４】
１  インスツルメンホルダー
２、２’  インスツルメント格納部
３  小孔
４  格納阻止バー
５  光センサー
５ａ  発光部
５ｂ  受光部
６ａ  光センサー発光部の配置位置
６ｂ  光センサー受光部の配置位置
１０  テーブル
【図１】
2015217134.tif 000003
【図２】
2015217134.tif 000004
【図３】
2015217134.tif 000005
【図４】
2015217134.tif 000006